(57)【要約】【課題】管理装置を用いることなく、アクセスポイント装置が干渉情報を把握することを可能にする。【解決手段】自装置が属するＢＳＳ以外の他ネットワークから送信された信号を受信する受信部と、前記信号に関するパラメータ情報を取得する取得部と、前記パラメータ情報を、前記ＢＳＳ内の、干渉制御を行うアクセスポイント装置へ報告する報告部と、を備える、ステーション装置を提供する。【選択図】図９
2018055901.tif 000002
【特許請求の範囲】
【請求項１】
自装置が属するＢＳＳ以外の他ネットワークから送信された信号を受信する受信部と、
前記信号に関するパラメータ情報を取得する取得部と、
前記パラメータ情報を、前記ＢＳＳ内の、干渉制御を行うアクセスポイント装置へ報告する報告部と、を備える、
ステーション装置。
【請求項２】
前記他ネットワークは、前記ＢＳＳにオーバーラップするＯＢＳＳである、
請求項１に記載のステーション装置。
【請求項３】
前記パラメータ情報は、変調方式情報、送信電力情報、ＢＳＳ識別情報、ＲＳＳＩ情報、バージョン情報、タイプ情報または伝送路利用時間情報を含む、
請求項２に記載のステーション装置。
【請求項４】
前記他ネットワークは、セルラーネットワークである、
請求項１に記載のステーション装置。
【請求項５】
前記パラメータ情報は、ＲＳＳＩ情報、伝送路利用時間情報を含む、
請求項４に記載のステーション装置。
【請求項６】
前記受信部は、前記ＢＳＳから送信された信号を受信した場合、
前記取得部は、前記ＢＳＳから送信された信号に関する第２のパラメータ情報を取得し、
前記報告部は、前記第２のパラメータ情報を前記アクセスポイント装置へ報告する、
請求項１に記載のステーション装置。
【請求項７】
前記受信部は、前記アクセスポイント装置が前記パラメータ情報または前記第２のパラメータ情報を集約して生成した集約パラメータ情報を受信し、
前記報告部は、前記集約パラメータ情報を、前記ＢＳＳ以外の他ＢＳＳに所属し干渉制御を行うアクセスポイント装置へ報告する、
請求項６に記載のステーション装置。
【請求項８】
前記パラメータ情報に含まれるＢＳＳ識別情報に基づいて、前記信号が前記ＢＳＳから送信された信号であるか否かの判定を行う判定部をさらに備え、
前記報告部は、前記判定に基づいて前記パラメータ情報を干渉情報として前記アクセスポイント装置へ報告する、
請求項１に記載のステーション装置。
【請求項９】
前記取得部は、前記ステーション装置が電源に接続されている場合、または、前記ステーション装置が移動していない場合に前記パラメータ情報を取得する、
請求項１に記載のステーション装置。
【請求項１０】
自装置が属するＢＳＳ以外の他ネットワークから送信された信号を受信することと、
前記信号に関するパラメータ情報を取得することと、
前記パラメータ情報を、前記ＢＳＳ内の、干渉制御を行うアクセスポイント装置へ報告することと、を有する、
コンピュータにより実行される無線制御方法。
【請求項１１】
自装置が属するＢＳＳ以外の他ネットワークから送信された信号を受信することと、
前記信号に関するパラメータ情報を取得することと、
前記パラメータ情報を、前記ＢＳＳ内の、干渉制御を行うアクセスポイント装置へ報告することと、
をコンピュータに実現させるためのプログラム。
【請求項１２】
自装置が属するＢＳＳ以外の他ネットワークから送信された信号に関するパラメータ情報をステーション装置から受信する受信部と、
前記パラメータ情報に基づいて干渉制御を行う制御部と、を備える、
アクセスポイント装置。
【請求項１３】
前記他ネットワークは、前記ＢＳＳにオーバーラップするＯＢＳＳである、
請求項１２に記載のアクセスポイント装置。
【請求項１４】
前記パラメータ情報は、変調方式情報、送信電力情報、ＢＳＳ識別情報、ＲＳＳＩ情報、バージョン情報、タイプ情報または伝送路利用時間情報を含む、
請求項１３に記載のアクセスポイント装置。
【請求項１５】
前記他ネットワークは、セルラーネットワークである、
請求項１２に記載のアクセスポイント装置。
【請求項１６】
前記パラメータ情報は、ＲＳＳＩ情報、伝送路利用時間情報を含む、
請求項１５に記載のアクセスポイント装置。
【請求項１７】
前記受信部は、前記ＢＳＳから送信された信号に関する第２のパラメータ情報を前記ステーション装置から受信し、
前記制御部は、前記パラメータ情報および前記第２のパラメータ情報に基づいて干渉制御を行う、
請求項１２に記載のアクセスポイント装置。
【請求項１８】
前記パラメータ情報または前記第２のパラメータ情報を集約した集約パラメータ情報を生成する生成部と、
前記集約パラメータ情報を、前記ＢＳＳ以外の他ＢＳＳに所属し干渉制御を行うアクセスポイント装置へ報告する報告部をさらに備える、
請求項１７に記載のアクセスポイント装置。
【請求項１９】
自装置が属するＢＳＳ以外の他ネットワークから送信された信号に関するパラメータ情報をステーション装置から受信することと、
前記パラメータ情報に基づいて干渉制御を行うことと、を有する、
コンピュータにより実行される通信制御方法。
【請求項２０】
自装置が属するＢＳＳ以外の他ネットワークから送信された信号に関するパラメータ情報をステーション装置から受信することと、
前記パラメータ情報に基づいて干渉制御を行うことと、
をコンピュータに実現させるためのプログラム。
【発明の詳細な説明】
【技術分野】
【０００１】
本開示は、アクセスポイント装置、ステーション装置、無線制御方法、通信制御方法およびプログラムに関する。
【背景技術】
【０００２】
近年、ＩＥＥＥ８０２．１１のワーキンググループなどによって、新たな無線ＬＡＮの規格化が検討されている。例えば、干渉制御に用いられる干渉情報の収集方法および使用方法等が検討されている。例えば、特許文献１には、データベースサーバが干渉情報を収集し、アクセスポイント装置がデータベースサーバから干渉情報を取得し、干渉制御に使用する方法が開示されている。また、特許文献２には、監視サーバが干渉情報を収集し、電力制御装置が監視サーバから干渉情報を取得し、干渉制御に使用する方法が開示されている。
【先行技術文献】
【特許文献】
【０００３】
【特許文献１】特許第５３５６３６４号公報
【特許文献２】特許第５３６０６５３号公報
【発明の概要】
【発明が解決しようとする課題】
【０００４】
しかし、特許文献１および特許文献２の方法では、データベースサーバまたは監視サーバのような管理装置を用いることなく、アクセスポイント装置が干渉情報を把握することができなかった。【０００５】
そこで、本開示は、上記に鑑みてなされたものであり、本開示は、管理装置を用いることなく、アクセスポイント装置が干渉情報を把握することが可能な、新規かつ改良されたアクセスポイント装置、ステーション装置、無線制御方法、通信制御方法およびプログラムを提供する。
【課題を解決するための手段】
【０００６】
本開示によれば、自装置が属するＢＳＳ以外の他ネットワークから送信された信号を受信する受信部と、前記信号に関するパラメータ情報を取得する取得部と、前記パラメータ情報を、前記ＢＳＳ内の、干渉制御を行うアクセスポイント装置へ報告する報告部と、を備える、ステーション装置が提供される。【０００７】
また、本開示によれば、自装置が属するＢＳＳ以外の他ネットワークから送信された信号を受信することと、前記信号に関するパラメータ情報を取得することと、前記パラメータ情報を、前記ＢＳＳ内の、干渉制御を行うアクセスポイント装置へ報告することと、を有する、コンピュータにより実行される無線制御方法が提供される。【０００８】
また、本開示によれば、自装置が属するＢＳＳ以外の他ネットワークから送信された信号を受信することと、前記信号に関するパラメータ情報を取得することと、前記パラメータ情報を、前記ＢＳＳ内の、干渉制御を行うアクセスポイント装置へ報告することと、をコンピュータに実現させるためのプログラムが提供される。【０００９】
また、本開示によれば、自装置が属するＢＳＳ以外の他ネットワークから送信された信号に関するパラメータ情報をステーション装置から受信する受信部と、前記パラメータ情報に基づいて干渉制御を行う制御部と、を備える、アクセスポイント装置が提供される。【００１０】
また、本開示によれば、自装置が属するＢＳＳ以外の他ネットワークから送信された信号に関するパラメータ情報をステーション装置から受信することと、前記パラメータ情報に基づいて干渉制御を行うことと、を有する、コンピュータにより実行される通信制御方法が提供される。【００１１】
また、本開示によれば、自装置が属するＢＳＳ以外の他ネットワークから送信された信号に関するパラメータ情報をステーション装置から受信することと、前記パラメータ情報に基づいて干渉制御を行うことと、をコンピュータに実現させるためのプログラムが提供される。
【発明の効果】
【００１２】
以上説明したように本開示によれば、管理装置を用いることなく、アクセスポイント装置が干渉情報を把握することが可能になる。【００１３】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１４】
【図１】本開示の一実施形態に係る無線ＬＡＮシステムの構成を示す図である。
【図２】先行文献１に係る無線ＬＡＮシステムの構成を示す図である。
【図３】本実施形態に係るＳＴＡがパラメータ情報を取得する動作を示すシーケンス図である。
【図４】本実施形態に係るＳＴＡがＡＰへパラメータ情報を送信する動作を示すシーケンス図である。
【図５】本実施形態に係る各ＡＰが集約パラメータ情報を交換する動作を示すシーケンス図である。
【図６】本実施形態に係る無線ＬＡＮシステムにおいて送受信されるフレームの構成を示す図である。
【図７】図６におけるＰＬＣＰ  Ｈｅａｄｅｒの構成を示す図である。
【図８】図６におけるＭＡＣ  Ｈｅａｄｅｒの構成を示す図である。
【図９】本実施形態に係るＳＴＡおよびＡＰの構成を示す図である。
【図１０】本実施形態に係るパラメータ情報記憶部が記憶するパラメータ情報の一例を示す図である。
【図１１】ＢＳＳのパラメータ情報の送信に用いられる情報エレメントを示す図である。
【図１２】ＯＢＳＳのパラメータ情報の送信に用いられる情報エレメントを示す図である。
【図１３】エネルギー検知パラメータ情報の送信に用いられる情報エレメントを示す図である。
【図１４Ａ】本実施形態に係るＳＴＡがパラメータ情報を取得する動作を示すフローチャートである。
【図１４Ｂ】本実施形態に係るＳＴＡがパラメータ情報を取得する動作を示すフローチャートである。
【図１５Ａ】本実施形態に係るＳＴＡがＡＰに対してパラメータ情報を報告する動作を示すフローチャートである。
【図１５Ｂ】本実施形態に係るＳＴＡがＡＰに対してパラメータ情報を報告する動作を示すフローチャートである。
【図１６】第１の変形例に係る無線ＬＡＮシステムの構成を示す図である。
【図１７】第１の変形例において、各ＡＰが集約パラメータ情報を交換する動作を示すシーケンス図である。
【図１８】第２の変形例に係る無線ＬＡＮシステムの構成を示す図である。
【図１９】スマートフォンの概略的な構成の一例を示すブロック図である。
【図２０】カーナビゲーション装置の概略的な構成の一例を示すブロック図である
【図２１】無線アクセスポイントの概略的な構成の一例を示すブロック図である。
【発明を実施するための形態】
【００１５】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１６】
なお、説明は以下の順序で行うものとする。
１．無線ＬＡＮシステムの概要
２．装置の構成
３．装置の動作
４．変形例
５．応用例
６．補足事項
７．むすび
【００１７】
＜１．無線ＬＡＮシステムの概要＞
本開示の一実施形態は、無線ＬＡＮシステムに関する。まず、図１〜図８を参照し、本開示の一実施形態に係る無線ＬＡＮシステムの概要について説明する。
【００１８】
（１−１．無線ＬＡＮシステムの構成）
図１は、本開示の一実施形態に係る無線ＬＡＮシステムの構成を示す図である。図１に示すように、本開示の一実施形態に係る無線ＬＡＮシステムは、アクセスポイント装置（以降、便宜的に「ＡＰ（Ａｃｃｅｓｓ  Ｐｏｉｎｔ）」と呼称する）２００と、ステーション装置（以降、便宜的に「ＳＴＡ（Ｓｔａｔｉｏｎ）」と呼称する）１００と、を備える。そして、１台のＡＰ２００と、１台以上のＳＴＡ１００と、によって基本サービスセット（以降、便宜的に「ＢＳＳ（Ｂａｓｉｃ  Ｓｅｒｖｉｃｅ  Ｓｅｔ）」と呼称する）１０が構成される。
【００１９】
本開示の一実施形態に係る無線ＬＡＮシステムは、任意の場所に設置され得る。例えば、本実施形態に係る無線ＬＡＮシステムは、オフィスビル、住宅、商業施設または公共施設等に設置され得る。
【００２０】
また、本実施形態に係るＢＳＳ１０のエリアは、使用される周波数チャネルがオーバーラップする他のＢＳＳ１０（以降、便宜的に「ＯＢＳＳ（Ｏｖｅｒｌａｐ  Ｂａｓｉｃ  Ｓｅｒｖｉｃｅ  Ｓｅｔ）」と呼称する）のエリアと重複する場合があり、その場合、重複エリアに位置するＳＴＡ１００から送信される信号は、ＯＢＳＳから送信される信号と干渉する場合がある。図１の例を用いて説明すると、ＢＳＳ１０ａのエリアは、ＯＢＳＳであるＢＳＳ１０ｂのエリアの一部と重複しており、その重複エリアにＳＴＡ１００ｂおよびＳＴＡ１００ｃが位置している。この場合、ＢＳＳ１０ａに所属しているＳＴＡ１００ｂから送信される信号は、ＢＳＳ１０ｂに所属するＡＰ２００ｂまたはＳＴＡ１００ｃから送信される信号と干渉する場合がある。また、ＢＳＳ１０ｂに所属しているＳＴＡ１００ｃから送信される信号は、ＢＳＳ１０ａに所属するＡＰ２００ａまたはＳＴＡ１００ｂから送信される信号と干渉する場合がある。
【００２１】
本実施形態に係るＡＰ２００は、外部ネットワークと接続され、ＳＴＡ１００に、当該外部ネットワークとの間の通信を提供する。例えば、ＡＰ２００は、インターネットと接続され、ＳＴＡ１００とインターネット上の装置またはインターネットを介して接続される装置との通信を提供する。
【００２２】
本実施形態に係るＳＴＡ１００は、ＡＰ２００と通信を行う無線装置である。ＳＴＡ１００は、任意の無線装置でよい。例えば、ＳＴＡ１００は表示機能を有するディスプレイ、記憶機能を有するメモリ、入力機能を有するキーボードおよびマウス、音出力機能を有するスピーカ、高度な計算処理を実行する機能を有するスマートフォンでもよい。
【００２３】
（１−２．背景）
次いで、本開示の背景について説明する。無線ＬＡＮシステムが広く普及するまでは、ＡＰは、使用する周波数帯域が他のＢＳＳと重複しないように周波数チャネルを設定し各ＢＳＳを運用することで、各ＢＳＳから送信された信号同士が干渉する可能性は低かった。しかし、近年、無線ＬＡＮシステムの普及に伴い、隣接する複数のＢＳＳにおいて使用される周波数帯域が重複するケースが増加しているため、各ＢＳＳから送信された信号同士が干渉する可能性が高くなっている。
【００２４】
このような状況に対応するために、ＡＰが、ＯＢＳＳから送信された信号のパラメータ情報等の干渉情報を取得し、当該干渉情報に基づいて自装置が所属するＢＳＳ（以降、便宜的に「自ＢＳＳ」と呼称する）での通信における各パラメータを変更することで干渉の発生を防ぐという方法が考えられている。例えば、ＡＰが、ＯＢＳＳとの干渉情報に基づいて送信電力を低い値に変更し、電波到達範囲を小さくすることで、干渉の発生を防ぐ方法が挙げられる。
【００２５】
ここで、先行文献１の開示および先行文献２の開示においては、干渉情報の収集、管理および使用方法の一例が開示されている。そこで、続いては図２を参照して、先行文献１の開示について説明する。図２は、先行文献１に係る無線ＬＡＮシステムの構成を示す図である。図２に示すように、先行文献１に係る無線ＬＡＮシステムにおいては、ＡＰ１、ＳＴＡ１およびＳＴＡ２によってＢＳＳ１が構成され、ＡＰ２、ＳＴＡ３およびＳＴＡ４によってＢＳＳ２が構成されている。そして、ＢＳＳ１のエリアは、ＯＢＳＳであるＢＳＳ２のエリアの一部と重複しており、その重複エリアにＳＴＡ２およびＳＴＡ３が位置している。
【００２６】
また、先行文献１に係る無線ＬＡＮシステムは、ＡＰ１およびＡＰ２とネットワークで接続されたデータベースを備えている。当該無線ＬＡＮシステムにおいて、当該データベースは、各ＡＰから、干渉情報を取得し管理する。そして、各ＡＰは、データベースから干渉情報を取得し、当該干渉情報に基づいて自ＢＳＳでの通信における各パラメータを変更することで干渉の発生を防ぐ。
【００２７】
また、図示していないが、先行文献２の開示においては、各ＡＰとネットワークで接続されている監視サーバが干渉情報をＡＰから受信し管理する。そして、監視サーバと接続されている電力制御装置が、監視サーバから干渉情報を取得し、当該干渉情報に基づいて各ＡＰの送信電力を決定する。
【００２８】
以上のように、先行文献１の開示および先行文献２の開示においては、干渉情報を収集し管理する管理装置（先行文献１においてはデータベースを指し、先行文献２においては監視サーバを指す）がＡＰとは別に存在し、ＡＰは管理装置から干渉情報を取得している。ここで、例えば、無線ＬＡＮの数が少ない場合においてまで、わざわざ管理装置を設けることは費用対効果の観点で適切ではないと考えられる。また、別の観点から考えると、管理装置と各ＡＰを接続するネットワークに障害が発生した場合、各ＡＰは、管理装置から干渉情報を取得することができないため、干渉制御を行うことができない。
【００２９】
そこで、本件の開示者は、上記事情に着眼して本開示を創作するに至った。本開示の一実施形態に係るＡＰ２００は、管理装置を用いることなく干渉情報を把握することができる。そして、ＡＰ２００は、他のＡＰ２００と当該干渉情報を交換することができる。さらに、ＡＰ２００は、当該干渉情報に基づいて適切に干渉制御を行うことができる。以下に、本開示の一実施形態に係る無線ＬＡＮシステムの機能概要、構成、動作、変形例および応用例について説明する。
【００３０】
（１−３．無線ＬＡＮシステムの機能概要）
上記では、本開示の背景について説明した。続いて、本開示の一実施形態に係る無線ＬＡＮシステムの機能概要について説明する。
【００３１】
本実施形態に係る無線ＬＡＮシステムにおけるＳＴＡ１００は、自ＢＳＳまたはＯＢＳＳの信号を受信した場合、これらの信号に関するパラメータ情報を、先行文献のような管理装置ではなくＡＰ２００へ報告する。より具体的に説明すると、ＳＴＡ１００は、自ＢＳＳまたはＯＢＳＳの信号を受信した場合、変調方式、送信電力、ＢＳＳ識別子、ＲＳＳＩ（Ｒｅｃｅｉｖｅｄ  Ｓｉｇｎａｌ  Ｓｔｒｅｎｇｔｈ  Ｉｎｄｉｃａｔｏｒ）または伝送路利用時間等に関するパラメータ情報を、自ＢＳＳまたはＯＢＳＳの区別をつけた状態で記憶し、かつ、ＡＰ２００へ報告する。
【００３２】
ここで、図３を参照して、ＳＴＡ１００がパラメータ情報を取得する動作の概要について説明する。図３は、本実施形態に係るＳＴＡ１００がパラメータ情報を取得する動作を示すシーケンス図である。
【００３３】
ステップＳ１０００にて、ＳＴＡ１００ａがＡＰ２００ａに対して信号を送信した場合、ＡＰ２００ａだけでなくＳＴＡ１００ｂも当該信号を受信したとする。この場合、ＳＴＡ１００ｂは、当該信号のパラメータ情報を、自ＢＳＳのパラメータ情報として記憶する。なお、当該信号を受信したＡＰ２００ａも、当該信号のパラメータ情報を、自ＢＳＳのパラメータ情報として記憶する。
【００３４】
ステップＳ１００４では、ＳＴＡ１００ｂがＡＰ２００ａに対して信号を送信する。そして、ＡＰ２００ａだけでなくＳＴＡ１００ｃも当該信号を受信したとする。この場合、ＳＴＡ１００ｃは、当該信号のパラメータ情報を、ＯＢＳＳのパラメータ情報として記憶する。なお、当該信号を受信したＡＰ２００ａは、当該信号のパラメータ情報を、自ＢＳＳのパラメータ情報として記憶する。
【００３５】
ステップＳ１００８では、ＳＴＡ１００ｃがＡＰ２００ｂに対して信号を送信する。そして、ＡＰ２００ｂだけでなくＳＴＡ１００ｂも当該信号を受信したとする。この場合、ＳＴＡ１００ｂは、当該信号のパラメータ情報を、ＯＢＳＳのパラメータ情報として記憶する。なお、当該信号を受信したＡＰ２００ｂは、当該信号のパラメータ情報を、自ＢＳＳのパラメータ情報として記憶する。
【００３６】
ステップＳ１０１２では、ＳＴＡ１００ｄがＡＰ２００ｂに対して信号を送信する。そして、ＡＰ２００ｂだけでなくＳＴＡ１００ｃも当該信号を受信したとする。この場合、ＳＴＡ１００ｃは、当該信号のパラメータ情報を、自ＢＳＳのパラメータ情報として記憶する。なお、当該信号を受信したＡＰ２００ｂも、当該信号のパラメータ情報を、自ＢＳＳのパラメータ情報として記憶する。
【００３７】
以上のように、各ＳＴＡ１００は、自ＢＳＳのパラメータ情報またはＯＢＳＳのパラメータ情報を取得する。続いて、図４を参照して、ＳＴＡ１００がパラメータ情報をＡＰ２００へ報告する動作の概要について説明する。図４は、本実施形態に係るＳＴＡ１００がＡＰ２００へパラメータ情報を送信する動作を示すシーケンス図である。
【００３８】
ステップＳ１１００では、ＳＴＡ１００ｂが、自ＢＳＳまたはＯＢＳＳのパラメータ情報を含むフレームを生成し、当該フレームをＡＰ２００ａに対して送信する。これにより、ＡＰ２００ａは、ＯＢＳＳが存在することおよびＳＴＡ１００ｂがＯＢＳＳの信号を受信していることを把握することができる。これにより、ＡＰ２００ａは、送信電力、変調方式または周波数帯域等のパラメータを変更することによって干渉制御を行うことができる。また、ステップＳ１１０４にて、ＳＴＡ１００ｃは、パラメータ情報がＳＴＡ１００ｂからＡＰ２００ａへ報告されたことを把握することができる。これにより、例えば、パラメータ情報がＳＴＡ１００ｂからＡＰ２００ａへ報告されたことをトリガに、ＳＴＡ１００ｃがＡＰ２００ｂへパラメータ情報を報告してもよい。
【００３９】
ステップＳ１１０８では、ＳＴＡ１００ｃが、自ＢＳＳまたはＯＢＳＳのパラメータ情報を含むフレームを生成し、当該フレームをＡＰ２００ｂに対して送信する。これにより、ＡＰ２００ｂは、ＯＢＳＳが存在することおよびＳＴＡ１００ｃがＯＢＳＳの信号を受信していることを把握することができる。これによりＡＰ２００ｂは、上述と同様に、送信電力、変調方式または使用周波数帯域等のパラメータを変更することによって干渉制御を行うことができる。また、ステップＳ１１１２にて、ＳＴＡ１００ｂは、上述と同様に、パラメータ情報がＳＴＡ１００ｃからＡＰ２００ｂへ報告されたことを把握することができる。
【００４０】
以上のように、ＡＰ２００は、各ＳＴＡ１００から自ＢＳＳまたはＯＢＳＳの信号のパラメータ情報を取得することができる。そして、ＡＰ２００は、これらのパラメータ情報を、取得元であるＳＴＡ１００の識別情報を対応付けて記憶する。以降では、ＡＰ２００が各ＳＴＡ１００から取得し、記憶するパラメータ情報を集約パラメータ情報と呼称する。集約パラメータ情報は、各ＳＴＡ１００から報告されたパラメータ情報が編集された情報であってもよいし、もちろん、各ＳＴＡ１００から報告されたパラメータ情報に取得元であるＳＴＡ１００の識別情報を対応付けただけの情報であってもよい。
【００４１】
そして、各ＡＰ２００は、それぞれが記憶している集約パラメータ情報を交換することによって、異なるＢＳＳに設定されているパラメータ情報およびＢＳＳ間の干渉状況を把握する。続いて、図５を参照して、各ＡＰ２００が集約パラメータ情報を交換する動作の概要について説明する。図５は、本実施形態に係る各ＡＰ２００が集約パラメータ情報を交換する動作を示すシーケンス図である。
【００４２】
ステップＳ１２００では、ＡＰ２００ａが集約パラメータ情報を送信し、ＡＰ２００ｂが当該集約パラメータ情報を受信する。これにより、ＡＰ２００ｂは、ＢＳＳ１０ａにおいて設定されているパラメータ情報およびＢＳＳ１０ａの装置が受けている干渉の影響を把握することができる。これにより、ＡＰ２００ｂは、パラメータ情報を変更することで適切に干渉制御を行うことができる。また、ステップＳ１２０４では、ＡＰ２００ｂが集約パラメータ情報を送信し、ＡＰ２００ａが当該集約パラメータ情報を受信する。これにより、ＡＰ２００ａは、上述と同様に、ＢＳＳ１０ｂにおいて設定されているパラメータ情報およびＢＳＳ１０ｂの装置が受けている干渉の影響を把握することができ、パラメータ情報を変更することで適切に干渉制御を行うことができる。
【００４３】
以上のように、本実施形態に係る無線ＬＡＮシステムにおいては、ＳＴＡ１００が自ＢＳＳまたはＯＢＳＳのパラメータ情報をＡＰ２００へ報告することによって、ＡＰ２００は、管理装置を用いることなく干渉情報を把握することができる。また、ＡＰ２００は、ＳＴＡ１００から報告されたパラメータ情報を集約し、ＡＰ２００間で集約パラメータ情報を交換することによって、異なるＢＳＳにおいて設定されているパラメータ情報およびＢＳＳ間の干渉状況を把握することができる。そして、ＡＰ２００は、集約パラメータ情報に基づいて自ＢＳＳのパラメータ情報を変更することによって適切に干渉制御を行うことができる。
【００４４】
（１−４．フレーム構成）
上記では、本開示の一実施形態に係る無線ＬＡＮシステムの機能概要について説明した。続いて、図６〜図８を参照して、本実施形態に係る無線ＬＡＮシステムによって送受信されるフレームの構成について説明する。
【００４５】
図６は、本実施形態に係る無線ＬＡＮシステムにおいて送受信されるフレームの構成を示す図である。図６に示すように、本実施形態に係る無線ＬＡＮシステムによって送受信されるフレームは、Ｐｒｅａｍｂｌｅ、ＰＬＣＰ  ＨｅａｄｅｒおよびＭＰＤＵを有するＰＰＤＵである。ＰＬＣＰ  Ｈｅａｄｅｒは、Ｌ−ＳＩＧおよびＨＥ−ＳＩＧを有する。ＭＰＤＵは、ＭＡＣ  Ｈｅａｄｅｒ、Ｆｒａｍｅ  ＢｏｄｙおよびＦＣＳ（Ｆｒａｍｅ  Ｃｈｅｃｋ  Ｓｅｑｕｅｎｃｅ）を有する。
【００４６】
図７は、図６におけるＰＬＣＰ  Ｈｅａｄｅｒの構成を示す図である。図７に示すように、ＰＬＣＰ  Ｈｅａｄｅｒは、ＢＳＳ  Ｃｏｌｏｒ、Ｔｘ  Ｐｏｗｅｒ、ＭＣＳ  ＩｎｄｅｘおよびＵｐｌｉｎｋ  Ｉｎｄｉｃａｔｏｒ等を含む。ＢＳＳ  Ｃｏｌｏｒとは、送受信される信号のＢＳＳを識別するための情報である。例えば、あるＢＳＳ内で送受信される信号のＢＳＳ  Ｃｏｌｏｒには、当該ＢＳＳに対応するＢＳＳ  Ｃｏｌｏｒ情報が格納され、異なるＢＳＳ間で送受信される集約パラメータ情報等のＢＳＳ  Ｃｏｌｏｒには、ワイルドカードＢＳＳ  Ｃｏｌｏｒ情報が格納される。信号を受信したＳＴＡ１００またはＡＰ２００は、ＢＳＳ  Ｃｏｌｏｒに基づいて、当該信号が自ＢＳＳの信号であるか否か、または、ＢＳＳ間を跨いで通信される信号であるか否かを判定する。また、Ｔｘ  Ｐｏｗｅｒとは、送信電力情報である。また、ＭＣＳ  Ｉｎｄｅｘとは、変調方式、符号化率等の組み合わせをＩｎｄｅｘ化したものである。また、Ｕｐｌｉｎｋ  Ｉｎｄｉｃａｔｏｒとは、信号の送信方向であり、例えば、Ｕｐｌｉｎｋ  Ｉｎｄｉｃａｔｏｒが１の場合は当該信号が上り方向の信号であることを示し、０の場合は当該信号が下り方向の信号であることを示す。
【００４７】
図８は、図６におけるＭＡＣ  Ｈｅａｄｅｒの構成を示す図である。図８に示すように、ＭＡＣ  Ｈｅａｄｅｒは、Ｆｒａｍｅ  Ｃｏｎｔｒｏｌ、Ａｄｄｒｅｓｓ１〜Ａｄｄｒｅｓｓ４、Ｓｅｑｕｅｎｃｅ  Ｃｏｎｔｒｏｌ、Ｑｏｓ  ＣｏｎｔｒｏｌおよびＨＴ  Ｃｏｎｔｒｏｌ等を含む。Ｆｒａｍｅ  Ｃｏｎｔｒｏｌには、プロトコルバージョンまたはフレームタイプ等の情報が格納され、Ａｄｄｒｅｓｓ１〜Ａｄｄｒｅｓｓ４には、ＢＳＳＩＤ、送信元アドレスまたは宛先アドレス等の情報が格納される。Ｓｅｑｕｅｎｃｅ  Ｃｏｎｔｒｏｌにはシーケンス番号が格納され、Ｑｏｓ  Ｃｏｎｔｒｏｌには、Ｑｏｓパラメータが格納され、ＨＴ  Ｃｏｎｔｒｏｌには、高速通信パラメータが格納される。
【００４８】
＜２．装置の構成＞
上記では、本開示の一実施形態に係る無線ＬＡＮシステムの機能概要について説明した。続いて、図９を参照して、本実施形態に係るＳＴＡ１００およびＡＰ２００の構成について説明する。図９は、本実施形態に係るＳＴＡ１００およびＡＰ２００の構成を示す図である。
【００４９】
（２−１．ＳＴＡの構成）
まず、ＳＴＡ１００の構成について説明する。ＳＴＡ１００は、図９に示すように、無線通信部１１０と、データ処理部１２０と、制御部１３０と、を備える。
【００５０】
（無線通信部）
無線通信部１１０は、図９に示すように、アンテナ制御部１１１と、受信処理部１１２と、送信処理部１１３と、を備え、受信部および報告部として機能する。
【００５１】
アンテナ制御部１１１は、少なくとも１つのアンテナを介した信号の送受信を制御する。より具体的に説明すると、アンテナ制御部１１１は、アンテナを介して受信される信号を受信処理部１１２に提供し、アンテナを介して、送信処理部１１３によって生成される信号を送信する。
【００５２】
受信処理部１１２は、アンテナ制御部１１１から提供される信号に基づいてフレームの受信処理を行う。例えば、受信処理部１１２は、アンテナから得られる信号について、アナログ処理およびダウンコンバージョンを施すことにより、ベースバンドの受信信号を出力する。そして、受信処理部１１２は、所定の信号パターンと受信信号との相関を、演算の対象とする受信信号を時間軸上でシフトさせながら算出し、相関のピークの出現に基づいてプリアンブルを検出する。これにより、受信処理部１１２は、自ＢＳＳの信号またはＯＢＳＳの信号等を検出することができる。また、受信処理部１１２は、ベースバンドの受信信号について復調およびデコード等を行うことによりフレームを取得し、取得されるフレームを受信フレーム解析部１２１に提供する。また、受信処理部１１２は、受信処理の成否に関する情報を動作制御部１３１に提供する。例えば、受信処理部１１２は、復調等の受信処理に失敗した場合、エラー発生情報を動作制御部１３１に提供する。また、受信処理部１１２は、所定の信号パターンとの相関演算では検出できない信号（すなわち、無線ＬＡＮ規格のプリアンブルを含んでいない信号）を受信した場合には、その情報を受信フレーム解析部１２１に提供する。
【００５３】
送信処理部１１３は、送信フレーム構築部１２６から提供されるフレームの送信処理を行う。より具体的に説明すると、送信処理部１１３は、送信フレーム構築部１２６から提供されるフレームおよび信号制御部１３２からの指示により設定されるパラメータに基づいて、送信信号を生成する。例えば、送信処理部１１３は、送信フレーム構築部１２６から提供されるフレームについて、信号制御部１３２によって指示されるコーディングおよび変調方式等に従って、エンコード、インタリーブおよび変調を行うことによりベースバンドの送信信号を生成する。また、送信処理部１１３は、前段の処理によって得られるベースバンドの送信信号にアップコンバージョンを施す。
【００５４】
（データ処理部）
データ処理部１２０は、図９に示すように、受信フレーム解析部１２１と、受信バッファ１２２と、インタフェース部１２３と、送信バッファ１２４と、パラメータ情報記憶部１２５と、送信フレーム構築部１２６と、を備える。
【００５５】
受信フレーム解析部１２１は、判定部および取得部として機能し、受信されたフレームの解析またはパラメータ情報の取得等を行う。より具体的に説明すると、受信フレーム解析部１２１は、無線通信部１１０によって受信されたフレームに含まれるＰＬＣＰ  ＨｅａｄｅｒおよびＭＡＣ  Ｈｅａｄｅｒ等を解析する。そして、受信フレーム解析部は、識別情報であるＢＳＳ  ＣｏｌｏｒまたはＢＳＳＩＤに基づいて、受信信号が自ＢＳＳの信号であるか否かを判定する。
【００５６】
受信信号が自ＢＳＳの信号であると判定された場合、受信フレーム解析部１２１は、各パラメータを取得し、自ＢＳＳのパラメータ情報（第２のパラメータ情報を指す）としてパラメータ情報記憶部１２５へ記憶させる。また、受信信号が自ＢＳＳの信号でないと判定された場合、受信フレーム解析部１２１は、各パラメータを取得し、ＯＢＳＳのパラメータ情報としてパラメータ情報記憶部１２５へ記憶させる。また、無線ＬＡＮ規格のプリアンブルを含んでいない信号が受信されたという情報が受信処理部１１２から提供された場合、受信フレーム解析部１２１は、各パラメータを取得し、エネルギー検知パラメータ情報としてパラメータ情報記憶部１２５へ記憶させる。
【００５７】
また、ＡＰ２００からのパラメータ情報の報告要求が受信された場合、その情報を動作制御部１３１へ提供する。また、ＡＰ２００からの集約パラメータ情報が受信された場合、その情報を動作制御部１３１へ提供する。さらに、受信フレーム解析部１２１は、フレームの宛先に自装置が含まれる場合、フレームからデータ等を取得し、受信バッファ１２２に記憶させる。
【００５８】
受信バッファ１２２は、受信されたフレームに含まれるデータを記憶する。
【００５９】
インタフェース部１２３は、ＳＴＡ１００に備えられる他の構成と接続されるインタフェースである。より具体的に説明すると、インタフェース部１２３は、当該他の構成、例えばアプリケーションまたはユーザインタフェースからの、送信が所望されるデータの受け取り、またはアプリケーションまたはユーザインタフェースへの受信データの提供等を行う。
【００６０】
送信バッファ１２４は、インタフェース部１２３から提供される、送信用のデータを記憶する。
【００６１】
パラメータ情報記憶部１２５は、受信フレーム解析部１２１から提供される、自ＢＳＳのパラメータ情報、ＯＢＳＳのパラメータ情報、エネルギー検知パラメータ情報を記憶する。ここで、図１０を参照して、パラメータ情報記憶部１２５が記憶する情報の一例について説明する。図１０は、本実施形態に係るパラメータ情報記憶部１２５が記憶するパラメータ情報の一例を示す図である。
【００６２】
図１０に示すように、パラメータ情報記憶部１２５は、受信信号毎にレコードを作成し、各パラメータ情報を記憶する。そして、パラメータ情報記憶部１２５は、受信信号の送信元ネットワークの情報も付加する。より具体的に説明すると、パラメータ情報記憶部１２５は、レコード中の「ＢＳＳ／ＯｖｅｒＬａｐ  ＢＳＳカラム」に自ＢＳＳまたはＯＢＳＳの情報を格納することによって、受信信号が自ＢＳＳの信号なのか、ＯＢＳＳの信号なのかを区別できるようにしている（自ＢＳＳのパラメータ情報においては、「自ＢＳＳ」ではなく「ＢＳＳ」と記載している）。例えば、図１０のレコード１０、レコード１１およびレコード１３は、ＯＢＳＳの信号のパラメータ情報であり、レコード１２は、自ＢＳＳの信号のパラメータ情報である。図示していないが、受信信号が、セルラーネットワーク等の無線ＬＡＮ以外のネットワークの信号である場合、「ＢＳＳ／ＯｖｅｒＬａｐ  ＢＳＳカラム」には、「Ｎ／Ａ」等が格納されてもよいし、何らかの識別情報が格納されてもよい。例えば、無線ＬＡＮのバージョン情報、フレームタイプ形式、サブタイプ形式、アグリゲーション形式、ＱｏＳパラメータとして例えばＥＤＣＡによって定義された種別等が格納されてもよい。
【００６３】
送信フレーム構築部１２６は、送信フレームを生成する。例えば、送信フレーム構築部１２６は、パラメータ情報記憶部１２５に格納されるパラメータ情報と、動作制御部１３１によって設定される制御情報に基づいてパラメータ報告フレームを生成する。送信フレーム構築部１２６は、パラメータ情報記憶部１２５から取得される送信用のパラメータ情報からフレーム（パケット）を生成し、生成されるフレームにメディアアクセス制御（ＭＡＣ：Ｍｅｄｉａ  Ａｃｃｅｓｓ  Ｃｏｎｔｒｏｌ）のためのＭＡＣヘッダの付加および誤り検出符号の付加等の処理を行う。また、送信フレーム構築部１２６は、送信バッファ１２４に格納される送信データを用いて送信フレームを生成してもよい。
【００６４】
ここで、図１１〜１３を参照して、送信フレーム構築部１２６が生成するパラメータ報告フレームの一例について説明する。図１１は、自ＢＳＳのパラメータ情報の送信に用いられる情報エレメント２０を示す図である。図１１に示すように、当該情報エレメント２０は、Ｅｌｅｍｅｎｔ  ＩＤ、Ｌｅｎｇｔｈ、Ｒｅｐｏｒｔ  ＭＡＣ  Ａｄｄｒｅｓｓ、ＢＳＳ  ＳＴＡ  Ｃｏｕｎｔｓおよび受信信号毎のパラメータ情報等を含む。Ｅｌｅｍｅｎｔ  ＩＤは情報エレメントの種類の情報であり、Ｌｅｎｇｔｈは情報エレメント２０の長さの情報であり、Ｒｅｐｏｒｔ  ＭＡＣ  Ａｄｄｒｅｓｓは報告先アドレスの情報であり、ＢＳＳ  ＳＴＡ  Ｃｏｕｎｔｓは、報告される自ＢＳＳ信号数の情報である。また、自ＢＳＳ信号毎のパラメータ情報は、ＲＳＳＩ、ＭＣＳ、ＴｙｐｅおよびＤｕｒａｔｉｏｎ等を含むことができるが、適宜変更され得る。ここで、Ｔｙｐｅとはデータの種類を示す情報であり、Ｔｙｐｅには、例えば、無線ＬＡＮフレームのバージョン情報、フレームの種類としてアグリゲートして構成されているか否かに関する情報、またはデータに含まれるＶｏｉｃｅまたはＶｉｄｅｏ等に関する情報が含まれ得る。また、Ｄｕｒａｔｉｏｎは、伝送路利用時間に関する情報である。図１１はあくまで一例であり、情報エレメント２０の内容は適宜変更され得る。
【００６５】
図１２は、ＯＢＳＳのパラメータ情報の送信に用いられる情報エレメント３０を示す図である。図１２に示すように、当該情報エレメント３０は、Ｅｌｅｍｅｎｔ  ＩＤ、Ｌｅｎｇｔｈ、Ｒｅｐｏｒｔ  ＭＡＣ  Ａｄｄｒｅｓｓ、ＯＢＳＳ  Ｃｏｕｎｔｓおよび受信信号毎のパラメータ情報等を含む。ＯＢＳＳ  Ｃｏｕｎｔｓは、報告されるＯＢＳＳ信号数の情報である。その他の情報については、図１１の情報エレメント２０と同様であるため、説明を省略する。図１２はあくまで一例であり、情報エレメント３０の内容は適宜変更され得る。
【００６６】
図１３は、エネルギー検知パラメータ情報の送信に用いられる情報エレメント４０を示す図である。図１３に示すように、当該情報エレメント４０は、Ｅｌｅｍｅｎｔ  ＩＤ、Ｌｅｎｇｔｈ、Ｒｅｐｏｒｔ  ＭＡＣ  Ａｄｄｒｅｓｓ、ＲＳＳＩ  ｍｉｎ  ｌｅｖｅｌ、Ｄｅｔｅｃｔ  Ｃｏｕｎｔｓおよび受信信号毎のパラメータ情報等を含む。ＲＳＳＩ  ｍｉｎ  ｌｅｖｅｌは、最も低いＲＳＳＩの情報である。Ｄｅｔｅｃｔ  Ｃｏｕｎｔｓは、報告される信号数の情報である。また、信号毎のパラメータ情報は、ＲＳＳＩ  ｍａｘおよびＤｕｒａｔｉｏｎを含むことができるが、適宜変更され得る。ここで、ＲＳＳＩ  ｍａｘは、信号毎の最も高いＲＳＳＩの情報である。図１３はあくまで一例であり、情報エレメント４０の内容は適宜変更され得る。
【００６７】
図１１〜図１３に示す各情報エレメントは、図６のＦｒａｍｅ  Ｂｏｄｙに格納されて送信される。この時、各情報エレメントが単独でＦｒａｍｅ  Ｂｏｄｙに格納されてもよいし、複数の情報エレメントが連結されてＦｒａｍｅ  Ｂｏｄｙに格納されてもよい。
【００６８】
（制御部）
制御部１３０は、図９に示すように、動作制御部１３１と、信号制御部１３２と、を備える。
【００６９】
動作制御部１３１は、パラメータ情報の送信に関する処理を制御する。より具体的に説明すると、動作制御部１３１は、自ＢＳＳのパラメータ情報、ＯＢＳＳのパラメータ情報または、エネルギー検知パラメータ情報の送信処理を制御する。例えば、動作制御部１３１は、受信処理部１１２から提供されるエラー発生情報に基づいて、所定の頻度以上のエラーが発生していると判定した場合、各パラメータ情報を送信するよう各構成を制御する。また、動作制御部１３１は、前回、パラメータ情報を送信したタイミングから所定の時間以上が経過した場合、同様に各パラメータ情報を送信するよう各構成を制御する。また、動作制御部１３１は、ＡＰ２００からのパラメータ情報の報告要求が受信されたという情報が受信処理部１１２から提供された場合、同様に各パラメータ情報を送信するよう各構成を制御する。これらの各パラメータ情報が送信されるタイミングは、任意に変更されてもよい。上記の方法により、動作制御部１３１は、適切なタイミングで各パラメータ情報を送信するよう各構成を制御することができる。
【００７０】
信号制御部１３２は、無線通信部１１０の動作を制御する。より具体的に説明すると、信号制御部１３２は、無線通信部１１０の送受信処理を制御する。例えば、信号制御部１３２は、動作制御部１３１の指示に基づいて送信および受信のための制御情報を無線通信部１１０に設定させる。また、信号制御部１３２は、ＣＳＭＡ／ＣＡのような空きチャネル検出処理を制御する。例えば、信号制御部１３２は、キャリアセンスの結果およびバックオフ時間に基づいて信号の送信開始または送信待機を決定する。
【００７１】
（２−２．ＡＰの構成）
ＡＰ２００は、ＳＴＡ１００と同様の構成を備え得る。もちろん、ＡＰ２００は、ＳＴＡ１００が備えていない構成を適宜備えてもよい。
【００７２】
（無線通信部）
無線通信部２１０は、図９に示すように、アンテナ制御部２１１と、受信処理部２１２と、送信処理部２１３と、を備え、受信部および報告部として機能する。各構成の機能はＳＴＡ１００の構成と同様であるため、説明を省略する。
【００７３】
（データ処理部）
データ処理部２２０は、図９に示すように、受信フレーム解析部２２１と、受信バッファ２２２と、インタフェース部２２３と、送信バッファ２２４と、パラメータ情報記憶部２２５と、送信フレーム構築部２２６と、を備える。以下では、各構成の機能において、ＳＴＡ１００の構成と同様の機能については説明を省略する。
【００７４】
受信フレーム解析部２２１は、生成部として機能し、受信フレームの解析、パラメータ情報および集約パラメータ情報に関する処理を行う。より具体的に説明すると、ＳＴＡ１００から各パラメータ情報が含まれるフレームが受信された場合、受信フレーム解析部２２１は、当該フレームを解析し、パラメータ情報を取得する。そして、受信フレーム解析部２２１は、当該パラメータ情報に基づいて集約パラメータ情報を生成し、当該集約パラメータ情報をパラメータ情報記憶部２２５へ記憶させる。この時、受信フレーム解析部２２１は、集約パラメータ情報に、送信元であるＳＴＡ１００の識別情報を対応付けた状態でパラメータ情報記憶部２２５へ記憶させる。また、上述のとおり、受信フレーム解析部２２１は、ＳＴＡ１００から送信されたパラメータ情報を編集して集約パラメータ情報を生成してもよい。
【００７５】
また、他のＡＰ２００から送信された集約パラメータ情報が受信された場合、受信フレーム解析部２２１は、集約パラメータ情報を、送信元であるＡＰ２００の識別情報を対応付けた状態でパラメータ情報記憶部２２５へ記憶させる。また、受信フレーム解析部２２１は、他のＡＰ２００から送信された集約パラメータ情報を編集して、編集後の集約パラメータ情報をパラメータ情報記憶部２２５へ記憶させてもよい。
【００７６】
パラメータ情報記憶部２２５は、受信フレーム解析部２２１から提供される、集約パラメータ情報を記憶する。
【００７７】
送信フレーム構築部２２６は、送信フレームを生成する。例えば、送信フレーム構築部２２６は、動作制御部２３１に制御されることによって、パラメータ情報の報告要求フレームを生成する。また、送信フレーム構築部２２６は、動作制御部２３１に制御されることによって、集約パラメータ情報が含まれるフレームを生成する。
【００７８】
（制御部）
制御部２３０は、図９に示すように、動作制御部２３１と、信号制御部２３２と、を備える。以下では、各構成の機能において、ＳＴＡ１００の構成と同様の機能については説明を省略する。
【００７９】
動作制御部２３１は、パラメータ情報、集約パラメータ情報および干渉制御に関する処理を制御する。例えば、動作制御部２３１は、パラメータ情報の報告要求に関する処理を制御する。動作制御部２３１は、パラメータ情報の報告要求のためのフレームを生成し、送信するよう各構成を制御する。ここで、パラメータ情報の報告要求が行われるタイミングは任意である。例えば、動作制御部２３１は、前回、パラメータ情報の報告要求が行われたタイミングから所定の時間が経過した後、パラメータ情報の報告要求を行っても良い。また、動作制御部２３１は、受信処理部２１２から提供されるエラー発生情報に基づいて、エラーの発生頻度が所定の閾値以上であると判定した場合、パラメータ情報の報告要求を行っても良い。
【００８０】
また、動作制御部２３１は、集約パラメータ情報を他のＡＰ２００に報告する処理を制御する。動作制御部２３１は、パラメータ情報記憶部２２５が記憶している集約パラメータ情報を含むフレームを生成し、他のＡＰ２００に報告するよう各構成を制御する。ここで、集約パラメータ情報の報告が行われるタイミングは任意である。例えば、動作制御部２３１は、前回、集約パラメータ情報の報告を行ったタイミングから所定の時間が経過した後に、集約パラメータ情報の報告を行っても良い。また、動作制御部２３１は、受信処理部２１２から提供されるエラー発生情報に基づいて、エラーの発生頻度が所定の閾値以上であると判定した場合、集約パラメータ情報の報告を行っても良い。
【００８１】
また、動作制御部２３１は、干渉制御に関する処理を行う。より具体的に説明すると、動作制御部２３１は、ＳＴＡ１００からのパラメータ情報を用いて生成した集約パラメータ情報、または、他のＡＰ２００から受信した集約パラメータ情報に基づいて干渉制御を行う。例えば、動作制御部２３１は、集約パラメータ情報に基づいて通信環境が劣悪であると判断した場合、変調方式を、より確実に通信が可能な伝送効率の低い変調方式（ＢＰＳＫ等）へ変更したり、規格で許容されたより高い送信電力へ変更したりする。また、動作制御部２３１は、ＯＢＳＳで用いられる周波数帯域と異なる周波数帯域を使用するように設定変更を行っても良い。
【００８２】
また、動作制御部２３１は、集約パラメータ情報に含まれるデータの優先度に関する情報に基づいて干渉制御を行っても良い。より具体的に説明すると、動作制御部２３１は、集約パラメータ情報に含まれるＴｙｐｅに基づいて、ＯＢＳＳにてＶｏｉｃｅ等の優先度の高いデータの通信が行われていることを確認できた場合、ＯＢＳＳの通信が優先的に行われるように各パラメータを変更してもよい。また、動作制御部２３１は、集約パラメータ情報に含まれるＴｙｐｅに基づいて、ＯＢＳＳにて優先度の高いデータの通信が行われていないことを確認できた場合、自ＢＳＳの通信が優先的に行われるように各パラメータを変更してもよい。または、この場合、動作制御部２３１は、自ＢＳＳの各パラメータを変更せず、ＯＢＳＳの各パラメータが変更されてから改めて判断をしてもよい。
【００８３】
＜３．装置の動作＞
上記では、本実施形態に係るＳＴＡ１００およびＡＰ２００の構成について説明した。続いて、図１４Ａおよび図１４Ｂを参照して、パラメータ情報の取得動作について説明する。図１４Ａおよび図１４Ｂは、本実施形態に係るＳＴＡ１００がパラメータ情報を取得する動作を示すフローチャートである。ここで、ＡＰ２００がパラメータ情報を取得する場合も、ＳＴＡ１００と同様に、図１４Ａおよび図１４Ｂに記載の動作を行ってもよい。
【００８４】
ステップＳ１３００では、無線通信部１１０が、所定の閾値より大きいＲＳＳＩを有する信号を検知する。受信処理部１１２が、所定の信号パターンと受信信号との相関演算によって、無線ＬＡＮのプリアンブルを検知した場合（ステップＳ１３０４／Ｙｅｓ）、ステップＳ１３０８にて、受信フレーム解析部１２１がＰＬＣＰ  Ｈｅａｄｅｒの情報を抽出する。そして、ステップＳ１３１２にて、受信フレーム解析部１２１がＰＬＣＰ  Ｈｅａｄｅｒに含まれるＭＣＳに関するパラメータ（ＭＣＳ  Ｉｎｄｅｘ）を取得する。
【００８５】
そして、ステップＳ１３１６にて、受信フレーム解析部１２１は、ヘッダ構成、または、ヘッダに含まれるバージョン情報を解析する。信号のヘッダが自装置の対応規格（Ｔｘ  Ｐｏｗｅｒ、ＢＳＳ  Ｃｏｌｏｒ等がヘッダに含まれる規格）に準じている場合（ステップＳ１３１６／Ｙｅｓ）、ステップＳ１３２０では、受信フレーム解析部１２１が、ＰＬＣＰ  Ｈｅａｄｅｒから送信電力に関するパラメータ（Ｔｘ  Ｐｏｗｅｒ）を取得する。ステップＳ１３２４では、受信フレーム解析部１２１が、ＰＬＣＰ  ＨｅａｄｅｒからＢＳＳ  Ｃｏｌｏｒに関するパラメータ（ＢＳＳ  Ｃｏｌｏｒ）を取得する。
【００８６】
ステップＳ１３２８にて、受信フレーム解析部１２１が、取得したＢＳＳ  Ｃｏｌｏｒ情報が、自ＢＳＳのＢＳＳ  Ｃｏｌｏｒ情報であると判定した場合（ステップＳ１３２８／Ｙｅｓ）、受信フレーム解析部１２１は、取得したパラメータ情報を自ＢＳＳのパラメータ情報として、パラメータ情報記憶部１２５へ記憶させる。ステップＳ１３２８にて、受信フレーム解析部１２１が、取得したＢＳＳ  Ｃｏｌｏｒ情報が、自ＢＳＳのＢＳＳ  Ｃｏｌｏｒ情報でないと判定した場合（ステップＳ１３２８／Ｎｏ）、受信フレーム解析部１２１は、取得したパラメータ情報をＯＢＳＳのパラメータ情報として、パラメータ情報記憶部１２５へ記憶させる。
【００８７】
ステップＳ１３１６にて、信号のヘッダが自装置の対応規格に準じていない場合（ステップＳ１３１６／Ｎｏ）、ステップＳ１３３２にて、受信フレーム解析部１２１が、ＭＡＣ  Ｈｅａｄｅｒのアドレス情報（Ａｄｄｒｅｓｓ１〜Ａｄｄｒｅｓｓ４）を取得する。ＭＡＣ  Ｈｅａｄｅｒのアドレス情報に、自ＢＳＳのＢＳＳＩＤとして、ＡＰ２００のＭＡＣアドレス情報が含まれている場合（ステップＳ１３３６／Ｙｅｓ）、受信フレーム解析部１２１は、取得したパラメータ情報を自ＢＳＳのパラメータ情報として、パラメータ情報記憶部１２５へ記憶させる。
【００８８】
ＭＡＣ  Ｈｅａｄｅｒのアドレス情報に、自ＢＳＳのＢＳＳＩＤとして、ＡＰ２００のＭＡＣアドレス情報が含まれていない場合（ステップＳ１３３６／Ｎｏ）、受信フレーム解析部１２１は、取得したパラメータ情報をＯＢＳＳのパラメータ情報として、パラメータ情報記憶部１２５へ記憶させる。ステップＳ１３０４にて、受信処理部１１２が、無線ＬＡＮのプリアンブルを検知できない場合（ステップＳ１３０４／Ｎｏ）、ステップＳ１３４８にて、受信フレーム解析部１２１は、取得したパラメータ情報をエネルギー検知パラメータ情報として、パラメータ情報記憶部１２５へ記憶させる。
【００８９】
ステップＳ１３５２では、受信フレーム解析部１２１は、受信処理部１１２からＲＳＳＩに関する情報を取得し、当該情報をパラメータ情報記憶部１２５へ記憶させる。また、ステップＳ１３５６では、受信フレーム解析部１２１は、受信処理部１１２から伝送路利用時間に関する情報を取得し、当該情報をパラメータ情報記憶部１２５へ記憶させる。
【００９０】
一連のフレームにＦＣＳエラーが発生しなかった場合（ステップＳ１３６０／Ｙｅｓ）、処理が終了する。ステップＳ１３６０にて、一連のフレームにＦＣＳエラーが発生した場合（ステップＳ１３６０／Ｎｏ）、受信処理部１１２が動作制御部１３１へエラー発生情報を提供し、動作制御部１３１は当該情報を記憶部（図示なし）へ記憶させて、処理が終了する。
【００９１】
上記では、パラメータ情報の取得動作について説明した。続いて、図１５Ａおよび図１５Ｂを参照して、パラメータ情報の報告動作について説明する。図１５Ａおよび図１５Ｂは、本実施形態に係るＳＴＡ１００がＡＰ２００に対してパラメータ情報を報告する動作を示すフローチャートである。
【００９２】
ステップＳ１４００にて、動作制御部１３１が、受信処理部１１２からエラー発生情報を取得する。そして、ステップＳ１４０４にて、所定の頻度以上のエラーが発生した場合（ステップＳ１４０４／Ｙｅｓ）、ステップＳ１４１６以降の、パラメータ情報の報告動作が行われる。また、ステップＳ１４０４にて、所定の頻度以上のエラーが発生していない場合であっても（ステップＳ１４０４／Ｎｏ）、前回、パラメータ情報が報告されたタイミングから所定の時間以上が経過した場合（ステップＳ１４０８／Ｙｅｓ）、パラメータ情報を報告する処理が行われる。パラメータ情報が報告されたタイミングから所定の時間以上が経過していない場合であっても（ステップＳ１４０８／Ｎｏ）、ＡＰ２００からのパラメータ情報の報告要求が受信された場合（ステップＳ１４１２／Ｙｅｓ）、パラメータ情報を報告する処理が行われる。ステップＳ１４１２にて、ＡＰ２００からのパラメータ情報の報告要求が受信されていない場合（ステップＳ１４１２／Ｎｏ）、処理がステップＳ１４００へ移動する。上述のとおり、これらの、パラメータ情報の報告動作のトリガは、適宜変更されてもよい。また、ステップＳ１４００の処理は省略されてもよい。
【００９３】
ステップＳ１４１６にて、パラメータ情報記憶部１２５が未報告の自ＢＳＳのパラメータ情報を記憶している場合（ステップＳ１４１６／Ｙｅｓ）、ステップＳ１４２０にて、送信フレーム構築部１２６は、未報告の自ＢＳＳのパラメータ情報をパラメータ情報記憶部１２５から取得する。ステップＳ１４２４では、送信フレーム構築部１２６が自ＢＳＳパラメータ報告フレームを構築する。ステップＳ１４１６にて、パラメータ情報記憶部１２５が未報告の自ＢＳＳのパラメータ情報を記憶していない場合（ステップＳ１４１６／Ｎｏ）、処理がステップＳ１４２８へ移動する。
【００９４】
ステップＳ１４２８にて、パラメータ情報記憶部１２５が未報告のＯＢＳＳのパラメータ情報を記憶している場合（ステップＳ１４２８／Ｙｅｓ）、ステップＳ１４３２にて、送信フレーム構築部１２６は、未報告のＯＢＳＳのパラメータ情報をパラメータ情報記憶部１２５から取得する。ステップＳ１４３６では、送信フレーム構築部１２６がＢＳＳパラメータ報告フレームを構築する。ステップＳ１４２８にて、パラメータ情報記憶部１２５が未報告のＯＢＳＳのパラメータ情報を記憶していない場合（ステップＳ１４２８／Ｎｏ）、処理がステップＳ１４４０へ移動する。
【００９５】
ステップＳ１４４０にて、パラメータ情報記憶部１２５が未報告のエネルギー検知パラメータ情報を記憶している場合（ステップＳ１４４０／Ｙｅｓ）、ステップＳ１４４４にて、送信フレーム構築部１２６は、未報告のエネルギー検知パラメータ情報をパラメータ情報記憶部１２５から取得する。ステップＳ１４４８では、送信フレーム構築部１２６がエネルギー検知パラメータ報告フレームを構築する。ステップＳ１４４０にて、パラメータ情報記憶部１２５が未報告のエネルギー検知パラメータ情報を記憶していない場合（ステップＳ１４４０／Ｎｏ）、処理がステップＳ１４５２へ移動する。
【００９６】
ステップＳ１４５２にて、パラメータ情報記憶部１２５が、未報告の各パラメータ情報を記憶している場合（ステップＳ１４５２／Ｙｅｓ）、ステップＳ１４５６にて、制御部１３０が、生成されたパラメータ報告フレームを送信するよう無線通信部１１０を制御する。ステップＳ１４６０では、制御部１３０がパラメータ報告フレームの送信時刻を記録し、処理が終了する。ステップＳ１４５２にて、パラメータ情報記憶部１２５が、未報告の各パラメータ情報を記憶していない場合（ステップＳ１４５２／Ｎｏ）、処理が終了する。
【００９７】
＜４．変形例＞
上記では、パラメータ情報の報告動作について説明した。続いて、図１６〜図１８を参照して、本開示の変形例について説明する。
【００９８】
（４−１．第１の変形例）
まず、図１６および図１７を参照して、本開示の第１の変形例について説明する。図１６は、第１の変形例に係る無線ＬＡＮシステムの構成を示す図である。
【００９９】
第１の変形例は、ＡＰ２００同士が直接通信を行うことが困難であるケースである。図１６に示すように、ＢＳＳ１０ａに所属するＳＴＡ１００ｂは、ＯＢＳＳであるＢＳＳ１０ｂに所属するＳＴＡ１００ｃと通信を行うことができるが、ＡＰ２００ａは、ＡＰ２００ｂと通信を行うことができない。第１の変形例において、ＡＰ２００は、ＳＴＡ１００を経由することで他のＡＰ２００と集約パラメータ情報の交換を行う。
【０１００】
すなわち、第１の変形例におけるＳＴＡ１００は、集約パラメータ情報の転送に関する処理を制御する。より具体的に説明すると、ＳＴＡ１００の受信フレーム解析部１２１は、受信フレームを解析し、ＡＰ２００からの集約パラメータ情報が受信されたと判定した場合、その情報を動作制御部１３１へ提供する。その後、動作制御部１３１は、当該集約パラメータ情報を含むフレームを転送するように各構成を制御する。
【０１０１】
続いて、図１７を参照して、第１の変形例における、集約パラメータ情報の交換動作の一例について説明する。図１７は、第１の変形例において、各ＡＰ２００が集約パラメータ情報を交換する動作を示すシーケンス図である。ステップＳ１５００では、ＡＰ２００ａが集約パラメータ情報を送信し、ＳＴＡ１００ｂが集約パラメータ情報を受信する。ステップＳ１５０４では、ＳＴＡ１００ｂが集約パラメータ情報を転送し、ＳＴＡ１００ｃが集約パラメータ情報を受信する。ステップＳ１５０８では、ＳＴＡ１００ｃが集約パラメータ情報を転送し、ＡＰ２００ｂが集約パラメータ情報を受信する。
【０１０２】
ステップＳ１５１２では、ＡＰ２００ｂが集約パラメータ情報を送信し、ＳＴＡ１００ｃが集約パラメータ情報を受信する。ステップＳ１５１６では、ＳＴＡ１００ｃが集約パラメータ情報を転送し、ＳＴＡ１００ｂが集約パラメータ情報を受信する。ステップＳ１５２０では、ＳＴＡ１００ｂが集約パラメータ情報を転送し、ＡＰ２００ａが集約パラメータ情報を受信する。
【０１０３】
このように、第１の変形例によって、ＡＰ２００同士が直接通信を行うことができない場合であっても、ＡＰ２００は、ＳＴＡ１００を経由することによって、集約パラメータ情報を異なるＡＰ２００と交換することができる。例えば、ＡＰ２００の場所が変更され得る場合などの、異なるＡＰ２００同士の通信が正常に行えるとは限らない状況においても、ＡＰ２００は集約パラメータ情報を異なるＡＰ２００と交換することができる。
【０１０４】
（４−２．第２の変形例）
続いて、図１８を参照して、本開示の第２の変形例について説明する。図１８は、第２の変形例に係る無線ＬＡＮシステムの構成を示す図である。
【０１０５】
第２の変形例は、コントローラと複数のＡＰ２００が有線ネットワークで接続されているケースである。図１８に示すように、ＡＰ２００ａ、ＡＰ２００ｂおよびコントローラが、有線ネットワークで接続されている。例えば、ＡＰ２００ａ、ＡＰ２００ｂおよびコントローラが、イーサネットケーブルで接続されてもよい。第２の変形例において、ＡＰ２００は、有線ネットワークを経由することでコントローラへ集約パラメータ情報を送信したり、他のＡＰ２００と集約パラメータ情報の交換を行ったりする。第２の変形例において、干渉情報を用いた干渉制御は、コントローラが行っても良いし、適宜各ＡＰ２００が行っても良い。
【０１０６】
第２の変形例に示すように、本開示は、様々なネットワーク構成の無線ＬＡＮシステムに適用され得る。
【０１０７】
＜５．応用例＞
本開示に係る技術は、様々な製品へ応用可能である。例えば、ＳＴＡ１００は、スマートフォン、タブレットＰＣ（Ｐｅｒｓｏｎａｌ  Ｃｏｍｐｕｔｅｒ）、ノートＰＣ、携帯型ゲーム端末若しくはデジタルカメラなどのモバイル端末、テレビジョン受像機、プリンタ、デジタルスキャナ若しくはネットワークストレージなどの固定端末、又はカーナビゲーション装置などの車載端末として実現されてもよい。また、ＳＴＡ１００は、スマートメータ、自動販売機、遠隔監視装置又はＰＯＳ（Ｐｏｉｎｔ  Ｏｆ  Ｓａｌｅ）端末などの、Ｍ２Ｍ（Ｍａｃｈｉｎｅ  Ｔｏ  Ｍａｃｈｉｎｅ）通信を行う端末（ＭＴＣ（Ｍａｃｈｉｎｅ  Ｔｙｐｅ  Ｃｏｍｍｕｎｉｃａｔｉｏｎ）端末ともいう）として実現されてもよい。さらに、ＳＴＡ１００は、これら端末に搭載される無線通信モジュール（例えば、１つのダイで構成される集積回路モジュール）であってもよい。
【０１０８】
一方、例えば、ＡＰ２００は、ルータ機能を有し又はルータ機能を有しない無線ＬＡＮアクセスポイント（無線基地局ともいう）として実現されてもよい。また、ＡＰ２００は、モバイル無線ＬＡＮルータとして実現されてもよい。さらに、ＡＰ２００は、これら装置に搭載される無線通信モジュール（例えば、１つのダイで構成される集積回路モジュール）であってもよい。
【０１０９】
（５−１．第１の応用例）
図１９は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１３、アンテナスイッチ９１４、アンテナ９１５、バス９１７、バッテリー９１８及び補助コントローラ９１９を備える。
【０１１０】
プロセッサ９０１は、例えばＣＰＵ（Ｃｅｎｔｒａｌ  Ｐｒｏｃｅｓｓｉｎｇ  Ｕｎｉｔ）又はＳｏＣ（Ｓｙｓｔｅｍ  ｏｎ  Ｃｈｉｐ）であってよく、スマートフォン９００のアプリケーションレイヤ及びその他のレイヤの機能を制御する。メモリ９０２は、ＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ）を含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Ｕｎｉｖｅｒｓａｌ  Ｓｅｒｉａｌ  Ｂｕｓ）デバイスなどの外付けデバイスをスマートフォン９００へ接続するためのインタフェースである。
【０１１１】
カメラ９０６は、例えば、ＣＣＤ（Ｃｈａｒｇｅ  Ｃｏｕｐｌｅｄ  Ｄｅｖｉｃｅ）又はＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０１１２】
無線通信インタフェース９１３は、ＩＥＥＥ８０２．１１ａ、１１ｂ、１１ｇ、１１ｎ、１１ａｃ及び１１ａｄなどの無線ＬＡＮ標準のうちの１つ以上をサポートし、無線通信を実行する。無線通信インタフェース９１３は、インフラストラクチャーモードにおいては、他の装置と無線ＬＡＮアクセスポイントを介して通信し得る。また、無線通信インタフェース９１３は、アドホックモード又はＷｉ−Ｆｉ  Ｄｉｒｅｃｔ（登録商標）等のダイレクト通信モードにおいては、他の装置と直接的に通信し得る。なお、Ｗｉ−Ｆｉ  Ｄｉｒｅｃｔでは、アドホックモードとは異なり２つの端末の一方がアクセスポイントとして動作するが、通信はそれら端末間で直接的に行われる。無線通信インタフェース９１３は、典型的には、ベースバンドプロセッサ、ＲＦ（Ｒａｄｉｏ  Ｆｒｅｑｕｅｎｃｙ）回路及びパワーアンプなどを含み得る。無線通信インタフェース９１３は、通信制御プログラムを記憶するメモリ、当該プログラムを実行するプロセッサ及び関連する回路を集積したワンチップのモジュールであってもよい。無線通信インタフェース９１３は、無線ＬＡＮ方式に加えて、近距離無線通信方式、近接無線通信方式又はセルラ通信方式などの他の種類の無線通信方式をサポートしてもよい。アンテナスイッチ９１４は、無線通信インタフェース９１３に含まれる複数の回路（例えば、異なる無線通信方式のための回路）の間でアンテナ９１５の接続先を切り替える。アンテナ９１５は、単一の又は複数のアンテナ素子（例えば、ＭＩＭＯアンテナを構成する複数のアンテナ素子）を有し、無線通信インタフェース９１３による無線信号の送信及び受信のために使用される。
【０１１３】
なお、図１９の例に限定されず、スマートフォン９００は、複数のアンテナ（例えば、無線ＬＡＮ用のアンテナ及び近接無線通信方式用のアンテナ、など）を備えてもよい。その場合に、アンテナスイッチ９１４は、スマートフォン９００の構成から省略されてもよい。
【０１１４】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１３及び補助コントローラ９１９を互いに接続する。バッテリー９１８は、図中に破線で部分的に示した給電ラインを介して、図１９に示したスマートフォン９００の各ブロックへ電力を供給する。補助コントローラ９１９は、例えば、スリープモードにおいて、スマートフォン９００の必要最低限の機能を動作させる。
【０１１５】
図１９に示したスマートフォン９００において、図９を用いて説明した、無線通信部１１０、データ処理部１２０および制御部１３０は、無線通信インタフェース９１３において実装されてもよい。また、これら機能の少なくとも一部は、プロセッサ９０１又は補助コントローラ９１９において実装されてもよい。
【０１１６】
なお、スマートフォン９００は、プロセッサ９０１がアプリケーションレベルでアクセスポイント機能を実行することにより、無線アクセスポイント（ソフトウェアＡＰ）として動作してもよい。また、無線通信インタフェース９１３が無線アクセスポイント機能を有していてもよい。
【０１１７】
（５−２．第２の応用例）
図２０は、本開示に係る技術が適用され得るカーナビゲーション装置９２０の概略的な構成の一例を示すブロック図である。カーナビゲーション装置９２０は、プロセッサ９２１、メモリ９２２、ＧＰＳモジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、アンテナスイッチ９３４、アンテナ９３５及びバッテリー９３８を備える。
【０１１８】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０１１９】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０１２０】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０１２１】
無線通信インタフェース９３３は、ＩＥＥＥ８０２．１１ａ、１１ｂ、１１ｇ、１１ｎ、１１ａｃ及び１１ａｄなどの無線ＬＡＮ標準のうちの１つ以上をサポートし、無線通信を実行する。無線通信インタフェース９３３は、インフラストラクチャーモードにおいては、他の装置と無線ＬＡＮアクセスポイントを介して通信し得る。また、無線通信インタフェース９３３は、アドホックモード又はＷｉ−Ｆｉ  Ｄｉｒｅｃｔ等のダイレクト通信モードにおいては、他の装置と直接的に通信し得る。無線通信インタフェース９３３は、典型的には、ベースバンドプロセッサ、ＲＦ回路及びパワーアンプなどを含み得る。無線通信インタフェース９３３は、通信制御プログラムを記憶するメモリ、当該プログラムを実行するプロセッサ及び関連する回路を集積したワンチップのモジュールであってもよい。無線通信インタフェース９３３は、無線ＬＡＮ方式に加えて、近距離無線通信方式、近接無線通信方式又はセルラ通信方式などの他の種類の無線通信方式をサポートしてもよい。アンテナスイッチ９３４は、無線通信インタフェース９３３に含まれる複数の回路の間でアンテナ９３５の接続先を切り替える。アンテナ９３５は、単一の又は複数のアンテナ素子を有し、無線通信インタフェース９３３による無線信号の送信及び受信のために使用される。
【０１２２】
なお、図２０の例に限定されず、カーナビゲーション装置９２０は、複数のアンテナを備えてもよい。その場合に、アンテナスイッチ９３４は、カーナビゲーション装置９２０の構成から省略されてもよい。
【０１２３】
バッテリー９３８は、図中に破線で部分的に示した給電ラインを介して、図２０に示したカーナビゲーション装置９２０の各ブロックへ電力を供給する。また、バッテリー９３８は、車両側から給電される電力を蓄積する。
【０１２４】
図２０に示したカーナビゲーション装置９２０において、図９を用いて説明した、無線通信部１１０、データ処理部１２０および制御部１３０は、無線通信インタフェース９３３において実装されてもよい。また、これら機能の少なくとも一部は、プロセッサ９２１において実装されてもよい。
【０１２５】
また、無線通信インタフェース９３３は、上述したＡＰ２００として動作し、車両に乗るユーザが有する端末に無線接続を提供してもよい。
【０１２６】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。車両側モジュール９４２は、車速、エンジン回転数又は故障情報などの車両側データを生成し、生成したデータを車載ネットワーク９４１へ出力する。
【０１２７】
（５−３．第３の応用例）
図２１は、本開示に係る技術が適用され得る無線アクセスポイント９５０の概略的な構成の一例を示すブロック図である。無線アクセスポイント９５０は、コントローラ９５１、メモリ９５２、入力デバイス９５４、表示デバイス９５５、ネットワークインタフェース９５７、無線通信インタフェース９６３、アンテナスイッチ９６４及びアンテナ９６５を備える。
【０１２８】
コントローラ９５１は、例えばＣＰＵ又はＤＳＰ（Ｄｉｇｉｔａｌ  Ｓｉｇｎａｌ  Ｐｒｏｃｅｓｓｏｒ）であってよく、無線アクセスポイント９５０のＩＰ（Ｉｎｔｅｒｎｅｔ  Ｐｒｏｔｏｃｏｌ）レイヤ及びより上位のレイヤの様々な機能（例えば、アクセス制限、ルーティング、暗号化、ファイアウォール及びログ管理など）を動作させる。メモリ９５２は、ＲＡＭ及びＲＯＭを含み、コントローラ９５１により実行されるプログラム、及び様々な制御データ（例えば、端末リスト、ルーティングテーブル、暗号鍵、セキュリティ設定及びログなど）を記憶する。
【０１２９】
入力デバイス９５４は、例えば、ボタン又はスイッチなどを含み、ユーザからの操作を受け付ける。表示デバイス９５５は、ＬＥＤランプなどを含み、無線アクセスポイント９５０の動作ステータスを表示する。
【０１３０】
ネットワークインタフェース９５７は、無線アクセスポイント９５０が有線通信ネットワーク９５８に接続するための有線通信インタフェースである。ネットワークインタフェース９５７は、複数の接続端子を有してもよい。有線通信ネットワーク９５８は、イーサネット（登録商標）などのＬＡＮであってもよく、又はＷＡＮ（Ｗｉｄｅ  Ａｒｅａ  Ｎｅｔｗｏｒｋ）であってもよい。
無線通信インタフェース９６３は、ＩＥＥＥ８０２．１１ａ、１１ｂ、１１ｇ、１１ｎ、１１ａｃ及び１１ａｄなどの無線ＬＡＮ標準のうちの１つ以上をサポートし、近傍の端末へアクセスポイントとして無線接続を提供する。無線通信インタフェース９６３は、典型的には、ベースバンドプロセッサ、ＲＦ回路及びパワーアンプなどを含み得る。無線通信インタフェース９６３は、通信制御プログラムを記憶するメモリ、当該プログラムを実行するプロセッサ及び関連する回路を集積したワンチップのモジュールであってもよい。アンテナスイッチ９６４は、無線通信インタフェース９６３に含まれる複数の回路の間でアンテナ９６５の接続先を切り替える。アンテナ９６５は、単一の又は複数のアンテナ素子を有し、無線通信インタフェース９６３による無線信号の送信及び受信のために使用される。
【０１３１】
図２１に示した無線アクセスポイント９５０において、図９を用いて説明した、無線通信部２１０、データ処理部２２０および制御部２３０は、無線通信インタフェース９６３において実装されてもよい。また、これら機能の少なくとも一部は、コントローラ９５１において実装されてもよい。
【０１３２】
＜６．補足事項＞
上記では、本開示の応用例について説明した。続いて、ＳＴＡ１００によるパラメータ情報の収集処理の補足事項について説明する。
【０１３３】
上記のように、ＳＴＡ１００は、ＢＳＳまたはＯＢＳＳのパラメータ情報を収集するが、当該収集処理を常時行わなくてもよい。例えば、ＳＴＡ１００は、送受信処理におけるエラーの発生頻度が所定の閾値以下である場合にはパラメータ情報を収集せず、エラーの発生頻度が所定の閾値より大きい場合にパラメータ情報を収集してもよい。これによって、ＳＴＡ１００は、干渉が発生していない場合においてもパラメータ情報を収集しようとすることによって消費される電力量を削減することができる。
【０１３４】
また、ＳＴＡ１００は、自装置が電源に接続されておらずモバイルバッテリによって動作している場合にはパラメータ情報を収集せず、自装置が電源に接続されている場合にパラメータ情報を収集してもよい。これによって、ＳＴＡ１００は、パラメータ情報を収集することによってモバイルバッテリが枯渇することを防ぐことができる。
【０１３５】
また、ＳＴＡ１００が移動している場合はＯＢＳＳとの干渉状況が頻繁に変わるため、適切なパラメータ情報が取得されない可能性がある。したがって、ＳＴＡ１００は、ＧＰＳ（Ｇｌｏｂａｌ  Ｐｏｓｉｔｉｏｎｉｎｇ  Ｓｙｓｔｅｍ）センサ等を用いて、自装置がユーザに携帯され移動していると判定した場合にはパラメータ情報を収集せず、自装置が移動していないと判定した場合にパラメータ情報を収集してもよい。これにより、ＳＴＡ１００は適切なパラメータ情報を収集することができ、かつ、不適切なパラメータ情報を取得することによって消費される電力量を削減することができる。
【０１３６】
＜７．むすび＞
以上説明したように、本開示の一実施形態に係るＡＰ２００は、管理装置を用いることなく干渉情報を把握することができる。そして、ＡＰ２００は、他のＡＰ２００と当該干渉情報を交換することができる。さらに、ＡＰ２００は、当該干渉情報に基づいて適切に干渉制御を行うことができる。
【０１３７】
以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【０１３８】
例えば、本実施形態に係るＳＴＡ１００の動作における各ステップは、必ずしもフローチャートとして記載された順序に沿って時系列に処理する必要はない。例えば、図３〜図５、図１４Ａ〜図１５Ｂおよび図１８に記載された各ステップは、適宜、図に記載された順序と異なる順序で処理されても、並列的に処理されてもよい。例えば、図３に記載されたステップＳ１０００〜ステップＳ１０１２は、異なる順序で処理されても、並列的に処理されてもよい。
【０１３９】
また、ＳＴＡ１００の構成の一部は、適宜ＳＴＡ１００外に設けられ得る。同様に、ＡＰ２００の構成の一部は、適宜ＡＰ２００外に設けられ得る。
【０１４０】
また、ＳＴＡ１００の機能の一部が、制御部１３０よって具現されてもよい。すなわち、制御部１３０が、無線通信部１１０またはデータ処理部１２０の機能の一部を具現してもよい。同様に、ＡＰ２００の機能の一部が、制御部２３０によって具現されてもよい。すなわち、制御部２３０が、無線通信部２１０またはデータ処理部２２０の機能の一部を具現してもよい。
【０１４１】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１４２】
なお、以下のような構成も本開示の技術的範囲に属する。
（１）
自装置が属するＢＳＳ以外の他ネットワークから送信された信号を受信する受信部と、
前記信号に関するパラメータ情報を取得する取得部と、
前記パラメータ情報を、前記ＢＳＳ内の、干渉制御を行うアクセスポイント装置へ報告する報告部と、を備える、
ステーション装置。
（２）
前記他ネットワークは、前記ＢＳＳにオーバーラップするＯＢＳＳである、
前記（１）に記載のステーション装置。
（３）
前記パラメータ情報は、変調方式情報、送信電力情報、ＢＳＳ識別情報、ＲＳＳＩ情報、バージョン情報、タイプ情報または伝送路利用時間情報を含む、
前記（２）に記載のステーション装置。
（４）
前記他ネットワークは、セルラーネットワークである、
前記（１）に記載のステーション装置。
（５）
前記パラメータ情報は、ＲＳＳＩ情報、伝送路利用時間情報を含む、
前記（４）に記載のステーション装置。
（６）
前記受信部は、前記ＢＳＳから送信された信号を受信した場合、
前記取得部は、前記ＢＳＳから送信された信号に関する第２のパラメータ情報を取得し、
前記報告部は、前記第２のパラメータ情報を前記アクセスポイント装置へ報告する、
前記（１）から（５）のいずれか１項に記載のステーション装置。
（７）
前記受信部は、前記アクセスポイント装置が前記パラメータ情報または前記第２のパラメータ情報を集約して生成した集約パラメータ情報を受信し、
前記報告部は、前記集約パラメータ情報を、前記ＢＳＳ以外の他ＢＳＳに所属し干渉制御を行うアクセスポイント装置へ報告する、
前記（６）に記載のステーション装置。
（８）
前記パラメータ情報に含まれるＢＳＳ識別情報に基づいて、前記信号が前記ＢＳＳから送信された信号であるか否かの判定を行う判定部をさらに備え、
前記報告部は、前記判定に基づいて前記パラメータ情報を干渉情報として前記アクセスポイント装置へ報告する、
前記（１）から（３）のいずれか１項に記載のステーション装置。
（９）
前記取得部は、前記ステーション装置が電源に接続されている場合、または、前記ステーション装置が移動していない場合に前記パラメータ情報を取得する、
前記（１）から（８）のいずれか１項に記載のステーション装置。
（１０）
自装置が属するＢＳＳ以外の他ネットワークから送信された信号を受信することと、
前記信号に関するパラメータ情報を取得することと、
前記パラメータ情報を、前記ＢＳＳ内の、干渉制御を行うアクセスポイント装置へ報告することと、を有する、
コンピュータにより実行される無線制御方法。
（１１）
自装置が属するＢＳＳ以外の他ネットワークから送信された信号を受信することと、
前記信号に関するパラメータ情報を取得することと、
前記パラメータ情報を、前記ＢＳＳ内の、干渉制御を行うアクセスポイント装置へ報告することと、
をコンピュータに実現させるためのプログラム。
（１２）
自装置が属するＢＳＳ以外の他ネットワークから送信された信号に関するパラメータ情報をステーション装置から受信する受信部と、
前記パラメータ情報に基づいて干渉制御を行う制御部と、を備える、
アクセスポイント装置。
（１３）
前記他ネットワークは、前記ＢＳＳにオーバーラップするＯＢＳＳである、
前記（１２）に記載のアクセスポイント装置。
（１４）
前記パラメータ情報は、変調方式情報、送信電力情報、ＢＳＳ識別情報、ＲＳＳＩ情報、バージョン情報、タイプ情報または伝送路利用時間情報を含む、
前記（１３）に記載のアクセスポイント装置。
（１５）
前記他ネットワークは、セルラーネットワークである、
前記（１２）に記載のアクセスポイント装置。
（１６）
前記パラメータ情報は、ＲＳＳＩ情報、伝送路利用時間情報を含む、
前記（１５）に記載のアクセスポイント装置。
（１７）
前記受信部は、前記ＢＳＳから送信された信号に関する第２のパラメータ情報を前記ステーション装置から受信し、
前記制御部は、前記パラメータ情報および前記第２のパラメータ情報に基づいて干渉制御を行う、
前記（１２）から（１６）のいずれか１項に記載のアクセスポイント装置。
（１８）
前記パラメータ情報または前記第２のパラメータ情報を集約した集約パラメータ情報を生成する生成部と、
前記集約パラメータ情報を、前記ＢＳＳ以外の他ＢＳＳに所属し干渉制御を行うアクセスポイント装置へ報告する報告部をさらに備える、
前記（１７）に記載のアクセスポイント装置。
（１９）
自装置が属するＢＳＳ以外の他ネットワークから送信された信号に関するパラメータ情報をステーション装置から受信することと、
前記パラメータ情報に基づいて干渉制御を行うことと、を有する、
コンピュータにより実行される通信制御方法。
（２０）
自装置が属するＢＳＳ以外の他ネットワークから送信された信号に関するパラメータ情報をステーション装置から受信することと、
前記パラメータ情報に基づいて干渉制御を行うことと、
をコンピュータに実現させるためのプログラム。
【符号の説明】
【０１４３】
１０    ＢＳＳ
２０    ＢＳＳのパラメータ情報の送信に用いられる情報エレメント
３０    ＯＢＳＳのパラメータ情報の送信に用いられる情報エレメント
４０    エネルギー検知パラメータ情報の送信に用いられる情報エレメント
１００    ＳＴＡ
１１０    無線通信部
１２０    データ処理部
１３０    制御部
２００    ＡＰ
２１０    無線通信部
２２０    データ処理部
２３０    制御部
【図１】
2018055901.tif 000003
【図２】
2018055901.tif 000004
【図３】
2018055901.tif 000005
【図４】
2018055901.tif 000006
【図５】
2018055901.tif 000007
【図６】
2018055901.tif 000008
【図７】
2018055901.tif 000009
【図８】
2018055901.tif 000010
【図９】
2018055901.tif 000011
【図１０】
2018055901.tif 000012
【図１１】
2018055901.tif 000013
【図１２】
2018055901.tif 000014
【図１３】
2018055901.tif 000015
【図１４Ａ】
2018055901.tif 000016
【図１４Ｂ】
2018055901.tif 000017
【図１５Ａ】
2018055901.tif 000018
【図１５Ｂ】
2018055901.tif 000019
【図１６】
2018055901.tif 000020
【図１７】
2018055901.tif 000021
【図１８】
2018055901.tif 000022
【図１９】
2018055901.tif 000023
【図２０】
2018055901.tif 000024
【図２１】
2018055901.tif 000025
【国際調査報告】
2018055901.tif 000026
2018055901.tif 000027
2018055901.tif 000028
2018055901.tif 000029